(57)【特許請求の範囲】
【請求項１】
橋絡体素子（５）であって、それぞれの橋絡体穴（２）へ導入するため及び橋絡体穴（２）に設けられる１つ又は複数の締付け素子（１Ａ〜１Ｇ）の接触個所（３）の導電接触のために設けられる少なくとも２つの橋絡体フォーク歯（４）と、橋絡体フォーク歯（４）に導電接続される橋絡部分（１０）とを有し、橋絡体フォーク歯（４）及び橋絡部分（１０）が導電性であり、橋絡体フォーク歯（４）が互いに平行に共通な導入方向（Ｚ）に延びているものにおいて、少なくとも外側にある橋絡体フォーク歯（４）が、延び方向（Ｚ）及び隣接する橋絡体フォーク歯（４）の方を向く橋絡方向（Ｙ）に面状に延びる外側接触部分（９）と外側接触部分（９）から橋絡方向（Ｙ）に対して直角に出る内側接触部分（６）とを有する断面Ｌ字状の輪郭をそれぞれ持ち、外側にある両方の橋絡体フォーク歯（４）の内側接触部分（６）が、外側にある両方の橋絡体フォーク歯（４）の外側接触部分（９）の自由端の相互間隔より小さい相互間隔を持っていることを特徴とする、橋絡体素子。
【請求項２】
外側にある両方の橋絡体フォーク歯（４）のＬ字状輪郭が互いに逆に向けられて、外側にある両方の橋絡体フォーク歯（４）の外側接触部分（９）が互いにずれて、互いに異なる面に延びるようにしていることを特徴とする、請求項１に記載の橋絡体素子。
【請求項３】
外側にある両方の橋絡体フォーク歯（４）のＬ字状輪郭が互いに同じ向きに向けられて、外側にある両方の橋絡体フォーク歯（４）の外側接触部分（９）が共通な面にあるようにしていることを特徴とする、請求項１に記載の橋絡体素子。
【請求項４】
橋絡部分（１０）が絶縁物により被覆されていることを特徴とする、請求項１〜３の１つに記載の橋絡体素子。
【請求項５】
ちょうど２つの橋絡体フォーク歯（４）を有することを特徴とする、請求項１〜４の１つに記載の橋絡体素子。
【請求項６】
橋絡体フォーク歯（４）と橋絡部分（１０）が導電材料から成る１片であることを特徴とする、請求項１〜５の１つに記載の橋絡体素子。
【請求項７】
並んで設けられる複数の橋絡体穴（２）を持つ１つの締付け素子（１）又は並んで設けられかつそれぞれ少なくとも１つの橋絡体穴（２）を持つ複数の締付け素子（１Ａ〜１Ｇ）と、請求項１〜６の１つに記載の２つ又はそれ以上の橋絡体素子から成るセットにおいて、橋絡方向（Ｙ）における外側接触部分（９）の幅と橋絡方向（Ｙ）及び延び方向（Ｚ）に対して直角な外側接触部分（９）の厚さ、及び内側接触部分（６）の幅と厚さが、橋絡体穴（２）の断面に合わされて、２つの橋絡体素子（５）のそれぞれ２つの橋絡体フォーク歯（４）が、それぞれの外側接触部分（９）において互いに重なって、共通な橋絡体穴（２）へ導入可能であり、その際その中に設けられるただ１つの接触個所（３）に一緒に導電接触し、両方の橋絡体フォーク歯（４）の内側接触部分（６）が、間にある外側接触部分（９）により互いに離されていることを特徴とする、セット。
【請求項８】
橋絡方向（Ｙ）に対して直角な内側接触部分（６）の厚さが、上下にある２つの外側接触部分（９）の厚さより小さいことを特徴とする、請求項７に記載のセット。
【請求項９】
締付け素子（１Ａ〜１Ｇ）が帽子状レールへはめることができる直列端子、配電端子又は継電器ソケットであることを特徴とする、請求項７又は８に記載のセット。
【請求項１０】
橋絡体穴（２）に接触個所を持つ直列端子が、導電接続される導体接続部を持っていることを特徴とする、請求項９に記載のセット。
【請求項１１】
直列端子が一体化されるか又は差込み可能な電子装置を持っていることを特徴とする、請求項９又は１０に記載のセット。
【発明の詳細な説明】
【技術分野】
【０００１】  本発明は、橋絡体素子であって、それぞれの橋絡体穴へ導入するため及び橋絡体穴に設けられる１つ又は複数の締付け素子の接触個所の導電接触のために設けられる少なくとも２つの橋絡体フォーク歯と、橋絡体フォーク歯に導電接続される橋絡部分とを有し、橋絡体フォーク歯及び橋絡部分が導電性であり、橋絡体フォーク歯が互いに平行に共通な導入方向に延びているものに関する。本発明は更に、並んで設けられる複数の橋絡体穴を持つ１つの締付け素子又は並んで設けられかつそれぞれ少なくとも１つの橋絡体穴を持つ複数の締付け素子と、２つ又はそれ以上の橋絡体素子から成るセットに関する。【０００２】  このような橋絡体素子は、支持レール上に隣接して設けられる複数の直列端子の間の横接続を行うために特に使用される。
【背景技術】
【０００３】  例えばドイツ連邦共和国特許出願公開第１９７０８６４９号明細書は、互いに平行な向きで整列されている端子の通電レールを電気接続する横橋絡体の形の橋絡体素子を記載している。橋絡体素子は１片の金属扁平材料から打抜かれ、扁平材料の延びる面に延びている橋絡レールを持ち、この橋絡レールから櫛のように２つ又はそれ以上の差込み舌片が外方へ延びている。横橋絡体は１層に構成され、橋絡体フォーク歯が先へ広げられ、通電レールが橋絡部分の延びる方向に側方で接触している。【０００４】  ドイツ連邦共和国実用新案第９４０６６１２号明細書は、接続端子用の１極又は多極横結合体を開示している。所要空間を少なくするため、個々の橋絡体フォーク歯は、組立て状態で直接互いに当接しかつ機械的に安定に結合されている接触ピン及び接触ばねを持っている。【０００５】  広げられる弾性橋絡体フォーク歯を持つ橋絡体素子は、ドイツ連邦共和国実用新案第２９５１４０１４号明細書に示されている。【０００６】  ドイツ連邦共和国の特許出願公開第１９５０６８５９号及び第１９５４７５５７号明細書、特許第３３１２００２号、第３６２５２４０号、第４２２３５４０号及び第４４１１３０７号明細書にも、対比可能な１層又は多層橋絡体素子が記載されている。【０００７】  ドイツ連邦共和国特許第４３２２５３５号明細書は、間隔をおいて並んで異なる高さ配置で上下に設けることができる差込み可能な差込み橋絡片を持つ電気端子を開示している。このため横橋絡体の頭部連絡片が空間的に互いにずれて設けられて、横橋絡体を互いに入れ子式にしている。【０００８】  橋絡体素子のすべての公知の実施形態では、橋絡体穴毎にただ１つの橋絡体素子のただ１つの橋絡体フォーク歯しか受入れ可能でない。なぜならば、そうしないと確実な接触を保証できないからである。
【発明の概要】
【発明が解決しようとする課題】
【０００９】  これから出発して本発明の課題は、橋絡体素子及び締付け素子と橋絡体素子から成るセットを改良して、締付け素子の橋絡体穴の減少した全高で、橋絡体素子の融通性のある接続を可能にすることである。
【課題を解決するための手段】
【００１０】  最初にあげた種類の橋絡体素子において、この課題は、少なくとも外側にある橋絡体フォーク歯が、延び方向及び隣接する橋絡体フォーク歯の方を向く橋絡方向に面状に延びる外側接触部分と外側接触部分から橋絡方向に対して直角に出る内側接触部分とを有する断面Ｌ字状の輪郭をそれぞれ持ち、外側にある両方の橋絡体フォーク歯の内側接触部分が、外側にある両方の橋絡体フォーク歯の外側接触部分の自由端の相互間隔より小さい相互間隔を持っていることによって、解決される。【００１１】  橋絡体素子の１つ又は複数の橋絡体フォーク歯を選択的にたで１つの橋絡体穴に収容し、橋絡体穴に設けられる接触個所において締付け素子と確実に接触させることができるようにするため、橋絡体の断面をＬ字状に構成することが提案される。これにより２つのＬ字状橋絡体素子が、Ｌ脚辺の弾性方向に対して直角なその載置面で互いに上下に載り、従って連続する摩擦結合及び電気的接続が行われる。これに反しＬ字状輪郭の弾性方向に延びる脚辺は、ただ１つの橋絡体フォーク歯しか存在しない時、締付け素子との摩擦結合及び電気的接続を行う。更にこの脚辺は、橋絡体穴内でフォーク歯の位置調節の際一緒に作用することができる。【００１２】  外側にある両方の橋絡体フォーク歯のＬ字状輪郭が互いに逆に向けられて、外側にある両方の橋絡体フォーク歯の外側接触部分が互いにずれて、互いに異なる面に延びるようにしていると、特に有利である。【００１３】  この場合載置面を締付け素子の締付け力に対して直角に向けられている外側接触部分は、互いに異なる面に設けられているので、２つの橋絡体フォーク歯の外側接触部分は互いに上下に載り、締付け素子により互いに押付けられて、確実な結合を行う。【００１４】  更に１つの橋絡体フォーク歯から次の橋絡体フォーク歯へ延びる橋絡体素子の橋絡部分が絶縁物により被覆されていると有利である。こうして橋絡体素子に電圧がかかっている時、周囲が危険にさらされるのを防止される。更に被覆により橋絡体素子の取り扱いが改善され、沿面距離及び空隙の設定が改善される。被覆は橋絡体素子及びその延びる方向を表示するのにも利用可能である。【００１５】  有利な実施形態では、橋絡体素子がちょうど２つの橋絡体フォーク歯を有する。その場合支持レール上に並んで設けられる多数の直列端子のために１つの直列端子から他の直列端子への横接続を行う多数の橋絡体素子を設けることができ、その際横接続部は、標準的に構成される同一の橋絡体素子により、場合によっては隣接する直列端子の間に個々の橋絡部を省略して、非常に融通性をもって構成可能である。【００１６】  橋絡体フォーク歯と橋絡部分が導電材料から成る１片であるのがよい。製造は通常の変形技術により行うことができる。【００１７】  更に本発明は、最初にあげた種類のセットにおいて、橋絡方向における外側接触部分の幅と橋絡方向及び延び方向に対して直角な外側接触部分の厚さ、及び内側接触部分（６）の幅と厚さが、橋絡体穴の断面に合わされて、２つの橋絡体素子のそれぞれ２つの橋絡体フォーク歯が、それぞれの外側接触部分において互いに重なって、共通な橋絡体穴へ導入可能であり、その際その中に設けられるただ１つの締付��素子に一緒に導電接触し、両方の橋絡体フォーク歯の内側接触部分が、間にある外側接触部分により互いに離されていることによって課題を解決される。【００１８】  有利な実施形態は従属請求項に記載されている。【００１９】  本発明が添付図面により以下に詳細に説明される。
【図面の簡単な説明】
【００２０】
【図１】  支持レール上に並んで設けられて部分的に設けられる橋絡体素子を持つ１列の直列端子の一部を異なる断面において平面図で示す。
【図２】  橋絡体素子の斜視図を示す。
【図３】  絶縁物を除去された図２の橋絡体素子の斜視図を示す。
【図４】  橋絡体穴へ差込まれた２つの橋絡体フォーク歯の概略図を示す。
【図５】  並んで設けられかつ橋絡体素子を差込まれた締付け素子の横断面図を示す。
【図６】  橋絡体穴の範囲に橋絡体素子を差込まれた締付け素子を縦断面図で示す。
【発明を実施するための形態】
【００２１】  図１は、図示しない支持レール上に公知のように互いに隣接してはめられている若干数の締付け素子１Ａ〜１Ｇの一部を示す。締付け素子１Ａ〜１Ｇは、それぞれ１つの橋絡体穴２を持つ公知の１列の直列端子であり、橋絡体穴２にばね締付け素子の形の接触個所３が設けられている。接触個所３は、締付け素子１Ａ〜１Ｇにおいて通電レール及びそれに導電接続される導体クランプ等に接続されている。
【００２２】  締付け素子１Ｆの端面における断面図は、橋絡体穴２内に設けられる橋絡体素子５のただ１つの橋絡体フォーク歯４がどのように接触個所３に導電接触しかつ固定的に締付けられるかを示している。橋絡体フォーク歯４が、橋絡方向Ｙに対して直角にＸ方向に延びる内側接触部分６を有するＬ字状断面の輪郭を持ち、この内側接触部分６が一方では接触個所３のばね素子７に当接し、他方では接触個所３の対向支持体８上に載っていることがわかる。従って橋絡体フォーク歯４は、内側接触部分６により接触個所３において固定的に締付けられ、かつ電気的に接触せしめられている。
【００２３】  内側接触部分６に対して直角に、橋絡体フォーク歯４のＬ字状輪郭は、前面で対向支持体８に当接する外側を持つ外側接触部分９を持っている。
【００２４】  隣接する締付け素子１Ｅの断面により、２つの橋絡体素子５の２つの橋絡体フォーク歯４がただ１つの共通な橋絡体穴２に差込まれている時、橋絡体素子５の締付けの状態がわかる。この場合両方の橋絡体フォーク歯４の外側接触部分９の内側が互いに当接している。ばね素子７は、一方の橋絡体フォーク歯４の隣接する外側接触部分９の外側を押し、他方の橋絡体フォーク歯４の外側接触部分９の外側は、接触個所３の対向支持体８に平らに載っている。
【００２５】  更にわかるように、両方の橋絡体フォーク歯４において断面で見て外側接触部分９に対して直角に延びる内側接触部分６は、その外縁で接触個所３に両側では締付けられていない。従って内側接触部分６の長さは、これらの長さが上下に重なる２つの外側接触部分９の厚さより小さいように設計されているので、ばね素子７と対向支持体８との摩擦結合が橋絡体部分の外側接触部分９を介して保証されている。
【００２６】  ただ１つの橋絡体フォーク歯４を橋絡体穴２へ導入する際、橋絡体フォーク歯４の導電接触及び機械的固定は内側接触部分６を介して行われるが、２つの橋絡体フォーク歯の場合外側接触部分９が締付け接触を確実にするために利用される。
【００２７】  締付け素子１Ｅと１Ｄとの間及び締付け素子１Ｄと１Ｃとの間の移行部の断面図により明らかなように、橋絡体素子５の同じ方向に互いに平行にかつ互いに間隔をおいて延びる２つの橋絡体フォーク歯４は、橋絡体穴２の上で橋絡部分１０により互いに結合されているので、１つの橋絡体素子５の両方の橋絡体フォーク歯４は同じ電位を持ち、１つの橋絡体フォーク歯４から次の橋絡体フォーク歯４への通電が可能である。
【００２８】  １Ｃから１Ｂへまた１Ｂから１Ａへの締付け素子の移行部における断面図から更にわかるように、橋絡部分１０は絶縁物１１により被覆されている。こうしてそれぞれ橋絡体素子５は一層よく取扱い可能であるのみならず、周囲も電位による危険から保護され、沿面距離及び空隙の維持が保証される。
【００２９】  図２は、上の範囲に絶縁物１１による被覆を持ちかつ下方へ突出する橋絡体フォーク歯４を持つ橋絡体素子５の斜視図を示す。橋絡体フォーク歯４の断面Ｌ字状の輪郭もわかる。明らかなように外側にある両方の橋絡体フォーク歯４のＬ字状輪郭は互いに逆向きに向けられて、外側接触部分９が互いにずれており、かつ互いに異なる面上に延びている。図示した実施例では、左の橋絡体フォーク歯４の外側接触部分９が、右の橋絡体フォーク歯４の面より上の面に設けられている。２つの同じ橋絡体素子５を並べて差込むと、左の橋絡体フォーク歯４の高い所にある外側接触部分９の内面が、低い方にある外側接触部分９の内面上に載って、両方の内面を介して摩擦結合及び電気的接触を行う。橋絡体素子５を並べて配置でき、その際上述したように橋絡体フォーク歯４を互いに重ね合わせることができるようにするため、上の範囲にある絶縁物１１は適当なＬ字状輪郭を持っている。
【００３０】  図３は、上の範囲で絶縁物を除去された橋絡体素子５を示す。橋絡体フォーク歯４が上の範囲で橋絡部分１０により導電的に結合されていることが明らかである。橋絡部分１０は橋絡体フォーク歯４と一体に製造され、更に橋絡体フォーク歯４を１つの方向に互いに平行に保っている。
【００３１】  橋絡部分１０及び橋絡体フォーク歯４への移行部の輪郭は、空間的条件及び予想される最大電流に合わされている。特に加熱又は望ましくない抵抗を回避するのに、通電断面が十分であるようにする。
【００３２】  図４は、橋絡体穴２に設けられる２つの橋絡体フォーク歯４を持つ締付け素子１の断面図を示す。両方の橋絡体フォーク歯４の外側接触部分９の内側が互いに上下に載り、橋絡体フォーク歯４が、接触部分９の外側にそれぞれ載るばね素子７及び接触個所３の対向支持体８と接触していることがわかる。これに反し内側接触部分６は機能せず、橋絡体穴２内で橋絡体フォーク歯４を案内するためにのみ役立つ。
【００３３】  図５は、並んで設けられる２つの締付け素子１Ａ，１Ｂの側断面図を示し、左の締付け素子１Ａの橋絡体穴２内に、２つの並んだ橋絡体素子５の２つの橋絡体フォーク歯４が差込まれている。これに反し右の締付け素子１Ｂでは、右の橋絡体素子５のただ１つの橋絡体フォーク歯４のみが差込まれている。
【００３４】  しかし締付け素子１Ａにおいて２つの橋絡体フォーク歯４の接触の場合、橋絡体フォーク歯４の外側接触部分９が接触個所３の所で締付けられ、締付け素子１Ｂにおいてただ１つの橋絡体フォーク歯４が内側接触部分６を介して締付けられることによって、両方の場合それぞれの橋絡体穴２において接触個所３により橋絡体フォーク歯４の確実な接触が保証される。
【００３５】  図６は、締付け素子１の縦断面図を示し、橋絡体素子５が橋絡体穴２へ差し込まれている。橋絡体フォーク歯４は、下方へ、ばね素子７をと貫通口を持つ通電レールの形の対向支持体８とにより構成されている接触個所３へ入り込んでいる。ばね素子７は貫通口へ入り込み、断面で見て弾性方向に対して直角に延びる橋絡体フォーク歯４の外側接触部分９の外側に当接している。図示した実施例では、ただ１つの橋絡体フォーク歯４のみが橋絡体穴２に差込まれているので、橋絡体フォーク歯４の内側接触部分６の狭い縁が、対向支持体８の貫通口のばね素子７に対向する内側縁へ押付けられる。こうして橋絡体素子５と対向支持体（通電レール）８との電気的接触が保証される。
【図１】
0005577480.tif 000002
【図２】
0005577480.tif 000003
【図３】
0005577480.tif 000004
【図４】
0005577480.tif 000005
【図５】
0005577480.tif 000006
【図６】
0005577480.tif 000007